(57)【要約】【課題】情報記録媒体におけるＳＩＰ記録領域に欠陥が存在する場合にＳＩＰ相当領域の記録位置を変更するための手段を提供し、ＳＩＰ記録領域のデータ記録に関しても欠陥管理を実現する。【解決手段】ＳＩＰ記録位置に欠陥が存在する場合にＳＴＡ領域の記録位置を変更すると共にＬｅａｄ−Ｏｕｔ領域の記録開始位置を変更する。ＳＴＡ領域の記録位置の変更は、その直前領域が、未使用の場合またはデータを退避することで未使用状態にできる場合に実行する。さらに、Ｄｉｓｃ  Ｓｔａｔｕｓ  中のＦｏｒｍａｔｔｉｎｇ  Ｓｔａｔｕｓ  をＦｕｌｌ  Ｆｏｒｍａｔ  に設定する。Ｆｕｌｌ  Ｆｏｒｍａｔ  の設定は、ＳＴＡ領域の記録位置の変更により記録されたＬｅａｄ−Ｏｕｔ領域以降の領域が所定値未満となる場合または同Ｌｅａｄ−Ｏｕｔ領域以降が所定値以上であってもＦｕｌｌ  Ｆｏｒｍａｔ  状態でＳＩＰが記録される位置に欠陥が存在する場合に行う。【選択図】        図１
2004158165.tif 000002
【特許請求の範囲】
【請求項１】
ＣＤ−ＭＲＷに対応した情報記録方法であって、ＳＩＰ記録位置に欠陥が存在する場合にＳＴＡ領域の記録位置を変更すると共にＬｅａｄ−Ｏｕｔ領域の記録開始位置を変更することを特徴とする情報記録方法。
【請求項２】
前記ＳＴＡ領域の記録位置の変更は、該ＳＴＡ記録位置変更に伴ってＳＴＡ領域へ変わる領域が未使用のＳＡ領域である場合に実行することを特徴とする請求項１記載の情報記録方法。
【請求項３】
前記記録位置変更前のＳＴＡ領域の直前領域がＳＡ領域でなくＤＡ領域である場合、該ＤＡ領域が未使用であるなら、前記ＳＴＡ記録位置の変更を実行することを特徴とする請求項２記載の情報記録方法。
【請求項４】
前記記録位置変更前のＳＴＡ領域の直前領域がＤＡ領域でかつ使用済みであり、該ＤＡ領域に対して交替処理を実施してＳＡ領域にデータ退避することで未使用状態とすることが可能な場合に、前記直前ＤＡ領域を交替させて前記ＳＡ領域にデータ退避してから、前記ＳＴＡ記録位置の変更を実行することを特徴とする請求項３記載の情報記録方法。
【請求項５】
前記ＳＩＰ記録位置に欠陥が存在する場合、前記ＳＴＡ領域の直前領域が使用済みで未使用化不可の領域である場合は、該ＳＴＡ領域の記録位置は変更せずに、ＳＩＰとＳＤＴの記録位置のみを変更し、それに伴いＬｅａｄ−Ｏｕｔ領域の記録開始位置を変更することを特徴とする請求項１から４のいずれか１項に記載の情報記録方法。
【請求項６】
前記ＳＩＰ記録位置に欠陥が存在する場合に、Ｄｉｓｃ  Ｓｔａｔｕｓ  中のＦｏｒｍａｔｔｉｎｇ  Ｓｔａｔｕｓ  をＦｕｌｌ  Ｆｏｒｍａｔ  に設定することを特徴とする請求項１から５のいずれか１項に記載の情報記録方法。
【請求項７】
前記Ｆｕｌｌ  Ｆｏｒｍａｔ  の設定は、
前記ＳＴＡ領域の記録位置の変更により記録されたＬｅａｄ−Ｏｕｔ領域以降の領域が所定値未満となる場合に行われることを特徴とする請求項６記載の情報記録方法。
【請求項８】
前記Ｆｕｌｌ  Ｆｏｒｍａｔ  の設定は、
Ｆｕｌｌ  Ｆｏｒｍａｔ  状態でＳＩＰが記録される位置に欠陥が存在する場合には、前記Ｌｅａｄ−Ｏｕｔ領域以降が前記所定値以上であっても行われることを特徴とする請求項７記載の情報記録方法。
【請求項９】
ＣＤ−ＭＲＷに対応した情報記録方法で再記録可能な情報記録媒体に対する情報記録処理を行う情報記録再生装置であって、ＳＩＰ記録位置に欠陥が存在する場合にＳＴＡ領域の記録位置を変更すると共にＬｅａｄ−Ｏｕｔ領域の記録開始位置を変更することを特徴とする情報記録再生装置。
【請求項１０】
前記ＳＴＡ領域の記録位置の変更は、該ＳＴＡ記録位置変更に伴ってＳＴＡ領域へ変わる領域が未使用のＳＡ領域である場合に実行することを特徴とする請求項９記載の情報記録再生装置。
【請求項１１】
前記記録位置変更前のＳＴＡ領域の直前領域がＳＡ領域でなくＤＡ領域である場合、該ＤＡ領域が未使用であるなら、前記ＳＴＡ記録位置の変更を実行することを特徴とする請求項１０記載の情報記録再生装置。
【請求項１２】
前記記録位置変更前のＳＴＡ領域の直前領域がＤＡ領域でかつ使用済みであり、該ＤＡ領域に対して交替処理を実施してＳＡ領域にデータ退避することで未使用状態とすることが可能な場合に、前記直前ＤＡ領域を交替させて前記ＳＡ領域にデータ退避してから、前記ＳＴＡ記録位置の変更を実行することを特徴とする請求項１１記載の情報記録再生装置。
【請求項１３】
前記ＳＩＰ記録位置に欠陥が存在する場合、前記ＳＴＡ領域の直前領域が使用済みで未使用化不可の領域である場合は、該ＳＴＡ領域の記録位置は変更せずに、ＳＩＰとＳＤＴの記録位置のみを変更し、それに伴いＬｅａｄ−Ｏｕｔ領域の記録開始位置を変更することを特徴とする請求項９から１２のいずれか１項に記載の情報記録再生装置。
【請求項１４】
前記ＳＩＰ記録位置に欠陥が存在する場合に、Ｄｉｓｃ  Ｓｔａｔｕｓ  中のＦｏｒｍａｔｔｉｎｇ  Ｓｔａｔｕｓ  をＦｕｌｌ  Ｆｏｒｍａｔ  に設定することを特徴とする請求項９から１３のいずれか１項に記載の情報記録再生装置。
【請求項１５】
前記Ｆｕｌｌ  Ｆｏｒｍａｔ  の設定は、
前記ＳＴＡ領域の記録位置の変更により記録されたＬｅａｄ−Ｏｕｔ領域以降の領域が所定値未満となる場合に行われることを特徴とする請求項１４記載の情報記録再生装置。
【請求項１６】
前記Ｆｕｌｌ  Ｆｏｒｍａｔ  の設定は、
Ｆｕｌｌ  Ｆｏｒｍａｔ  状態でＳＩＰが記録される位置に欠陥が存在する場合には、前記Ｌｅａｄ−Ｏｕｔ領域以降が前記所定値以上であっても行われることを特徴とする請求項１５記載の情報記録再生装置。
【請求項１７】
ＳＩＰ領域に欠陥が存在する場合に、該ＳＩＰの記録位置が変更され、該変更に伴ってＬｅａｄ−Ｏｕｔ領域の記録開始位置が変更されて記録されることを特徴とする情報記録媒体。
【請求項１８】
前記ＳＩＰの記録位置の変更は、
ＳＴＡ領域の記録位置が変更されることにより行われることを特徴とする請求項１７記載の情報記録媒体。
【請求項１９】
前記ＳＩＰ領域に欠陥が存在する場合に、Ｄｉｓｃ  Ｓｔａｔｕｓ  中のＦｏｒｍａｔｔｉｎｇ  Ｓｔａｔｕｓ  がＦｕｌｌ  Ｆｏｒｍａｔ  に設定されることを特徴とする請求項１７または１８記載の情報記録媒体。
【請求項２０】
前記Ｆｕｌｌ  Ｆｏｒｍａｔ  の設定は、
前記ＳＴＡ領域の記録位置の変更により記録されたＬｅａｄ−Ｏｕｔ領域以降の領域が所定値未満となる場合に行われることを特徴とする請求項１９記載の情報記録媒体。
【請求項２１】
前記Ｆｕｌｌ  Ｆｏｒｍａｔ  の設定は、
Ｆｕｌｌ  Ｆｏｒｍａｔ  状態でＳＩＰが記録される位置に欠陥が存在する場合には、前記Ｌｅａｄ−Ｏｕｔ領域以降が前記所定値以上であっても行われることを特徴とする請求項２０記載の情報記録媒体。
【発明の詳細な説明】
【０００１】
【発明の属する技術分野】
本発明は、ＣＤ−ＭＲＷ等のような再記録可能な情報記録媒体の欠陥管理システムを備える情報記録方法、情報記録再生装置、及び情報記録媒体に関し、特に、欠陥管理情報がディスクの特定の位置に記録され、欠陥管理情報自身に対する欠陥管理システムの適用がない場合に、その欠陥管理情報に対して欠陥管理を可能にするための情報記録方法、情報記録再生装置、及び情報記録媒体に関する。
【０００２】
【従来の技術】
ＣＤ−ＲＷ（ＣｏｍｐａｃｔＤｉｓｋ  −Ｒｅｗｒｉｔａｂｌｅ：相変化記録方式を使った書き換え可能ＣＤ）等の再記録可能な情報記録媒体（  以下「ディスク」とする）  のある記録領域にデータが正しく記録／再生できない欠陥（  以下「欠陥」とする）  が存在した場合に、その欠陥の有る記録領域（「欠陥領域」とする）について、ディスク内に設けられた交替領域を用いて当該欠陥領域の代替を行い、これを管理する欠陥管理情報（どの欠陥領域をどの交替領域と交替したか等）を備えることにより、欠陥による情報喪失を防ぐ欠陥管理システムが導入されているものがある（特許文献１参照。）。
【０００３】
このような欠陥管理システムのもとでは、ディスクの記録領域内のデータを再生する場合に、まず欠陥管理情報を参照して、ディスクの記録領域内データが交替されているかどうかを確認し、交替されているデータが存在する場合には、通常の記録領域内のデータ再生と共に、交替領域内のデータを再生し、これらを正しく転送する必要がある。
【０００４】
上記のようなシステムの一つとして、「Ｍｔ．Ｒａｉｎｉｅｒ」がある。Ｍｔ．ＲａｉｎｉｅｒをＣＤに対して適用したものを特に「ＣＤ−ＭＲＷ」と呼ぶ。すなわち、ＣＤ−ＲＷ  ディスクに対する欠陥管理システムとしてＭｔ．Ｒａｉｎｉｅｒがある（以下ＣＤ−ＭＲＷとする）。
【０００５】
そこで、図２と図３とを用いて、ＣＤ−ＭＲＷにおける従来のデータ記録フォーマットについて説明する。
【０００６】
ＣＤ−ＭＲＷでは、ＣＤの最小情報単位であるＢｌｏｃｋ  （ブロック）３０単位での書き換え実現のため、Ｆｉｘｅｄ  Ｐａｃｋｅｔ２５でＦｏｒｍａｔされたディスクを使用する。このとき、Ｕｓｅｒ  Ｄａｔａ  ２８以外にＬｉｎｋ２６／Ｒｕｎ−Ｉｎ  ２７／Ｒｕｎ−Ｏｕｔ２９ブロックを付加する必要があるので、記録容量を稼ぐためにパケットサイズ（Ｐａｃｋｅｔ２５のサイズ）は３２Ｂｌｏｃｋ  で記録されているが、欠陥発生時の交替の単位はＢｌｏｃｋ  である。
【０００７】
そのため、図３に示すように、あるＢｌｏｃｋ  に欠陥が有りそれを交替する場合には、記録が３２Ｂｌｏｃｋ  のパケット単位で実行されるため、交替先のパケットを読み出し、次に交替するＢｌｏｃｋ  のデータを交替先パケット内のＢｌｏｃｋ  に対して置き換え、その後パケット単位で記録を行わなければならない。これを、「Ｒｅａｄ−Ｍｏｄｉｆｙ−Ｗｒｉｔｅ  」と呼ぶ。これにより、ＣＤ−ＲＷにおいてＢｌｏｃｋ  単位のＲａｎｄｏｍ  Ｗｒｉｔｅを実現している。
【０００８】
また、ＣＤ−ＭＲＷでは、Ｌｅａｄ−Ｉｎ  Ａｒｅａ２０とＬｅａｄ−Ｏｕｔ  Ａｒｅａ  ２２に挟まれたＰｒｏｇｒａｍ  Ａｒｅａ２１内に、複数のＤａｔａ  Ａｒｅａ  （ＤＡ：通常のユーザデータ記録領域）２４とＳｐａｒｅ  Ａｒｅａ（ＳＡ：ＤＡの交替（用）領域（スペアエリア））２３を交互に配置している。また、各ＤＡｘ  に対応したＳＡｘ  が存在し、これを交替で使用し尽くしたら、次のＳＡｘ＋１  を使用する。この時の、交替したデータ元（交替元すなわち欠陥領域）のアドレス（位置情報）と交替先のデータ（領域）のアドレスとの組情報を含む情報である欠陥管理情報は、Ｌｅａｄ−Ｉｎ  Ａｒｅａ２０内のＭＴＡ（Ｍａｉｎ  Ｔａｂｌｅ  Ａｒｅａ  ）３１とＬｅａｄ−Ｏｕｔ  Ａｒｅａ  ２２の手前に存在するＳＴＡ（Ｓｅｃｏｎｄａｒｙ  Ｔａｂｌｅ  Ａｒｅａ）３２内の、ＤＴ領域（Ｄｅｆｅｃｔ  Ｔａｂｌｅ：ＭＴＡ内ではＭＤＴ、ＳＴＡ内ではＳＤＴと呼ぶ）３４に記録される。ＤＴ領域３４の記録位置はＩＰ（Ｉｎｆｏｒｍａｔｉｏｎ  Ｐａｃｋｅｔ：ＭＴＡ内ではＭＩＰ、ＳＴＡ内ではＳＩＰ）３３に記録される。
【０００９】
付記すると、Ｓｐａｒｅ  Ａｒｅａ（ＳＡ）２３は、ユーザデータの交替に使用する交替領域である。Ｄａｔａ  Ａｒｅａ  （ＤＡ）２４は、ユーザデータを記録する記録領域である。Ｐａｃｋｅｔ（Ｐとする）２５は、データの最小記録単位である。ＣＤ−ＲＷのＭｔ．Ｒａｉｎｉｅｒでは、１つのＤＡを１３６個のＰａｃｋｅｔ（Ｐ１  〜Ｐ１３６  ）で構成する。ＳＡは、８個のＰａｃｋｅｔで構成される。Ｕｓｅｒ  Ｄａｔａ  Ｂｌｏｃｋ  ２８は、ＣＤ−ＲＷのデータ（ユーザデータ）を記録するためのＢｌｏｃｋ  である。１つのＰａｃｋｅｔには必ずＬｉｎｋ／Ｒｕｎ−Ｉｎ／Ｒｕｎ−Ｏｕｔ  （２６／２７／２９）が必要である。Ｂｌｏｃｋ  （ブロック）３０は、データの最小再生単位である。ＣＤ−ＲＷのＭｔ．Ｒａｉｎｉｅｒでは、１つのＵｓｅｒ  Ｄａｔａ  Ｂｌｏｃｋ  ２８は、３２個のＢｌｏｃｋ  （Ｂ１  〜Ｂ３２）から構成される。ＭＴＡ（Ｍａｉｎ  Ｔａｂｌｅ  Ａｒｅａ  ）３１は、Ｌｅａｄ−Ｉｎ  Ａｒｅａ２０に記録される。ＳＴＡ（Ｓｅｃｏｎｄａｒｙ  Ｔａｂｌｅ  Ａｒｅａ）３２は、Ｌｅａｄ−Ｏｕｔ  Ａｒｅａ  ２２の手前（直前）のＰｒｏｇｒａｍ  Ａｒｅａ２１内最後に記録される。ＩＰ（Ｉｎｆｏｒｍａｔｉｏｎ  Ｐａｃｋｅｔ：ＭＴＡ内ではＭＩＰ、ＳＴＡ内ではＳＩＰ。）３３は、ＤＴ（Ｄｅｆｅｃｔ  Ｔａｂｌｅ）３４の記録アドレスやＤａｔａ  Ａｒｅａ  ２４の最終アドレスを含む管理情報が記録される。ＤＴ（Ｄｅｆｅｃｔ  Ｔａｂｌｅ：ＭＴＡ内ではＭＤＴ、ＳＴＡ内ではＳＤＴ。）３４には、欠陥領域のアドレスとその交替先の交替領域のアドレスの組情報を含む欠陥管理情報が記録される。なお、Ｐｒｏｇｒａｍ  Ａｒｅａ２１のサイズはディスク容量に応じて可変となり、それに応じてＳＡ−ＤＡ領域の確保数及びＰｒｏｇｒａｍ  Ａｒｅａ内でＳＡ、ＤＡのいずれが最後に来るかも可変となる。
【００１０】
図３には、データエリア（ＤＡ）２４中における欠陥セクタ（Ｂｌｏｃｋ  ）がスペアエリア（ＳＡ）２３に交替されている場合のデータ再生状態についての説明図が示されている。
【００１１】
情報記録再生装置（ドライブ装置）がディスクの記録データであるユーザデータパケットＡ０からＡ７のデータの再生を実施する場合の例である。ユーザデータパケットＡ０からＡ７の再生を行う際、ディスクに記録されている欠陥管理情報（上述したようにＭＴＡ／ＳＴＡ内のＤＴに記録されている）の参照からデータエリア（ＤＡ）におけるセクタＡ３とＡ６のデータがそれぞれ（欠陥により）スペアエリア（ＳＡ）で交替されていることが分かるので、再生処理としては、１．ＤＡからＡ０‐Ａ２を再生、２．ＳＡからＡ３を再生、３．ＤＡからＡ４−Ａ５  を再生、４．ＳＡからＡ６を再生、５．ＤＡからＡ７を再生、というステップの処理を実行する必要がある。
【００１２】
上記の欠陥管理情報（交替元アドレス−交替先アドレス）はＤＴ３４に記録されており、ＤＴ３４の情報を取得するためにはＩＰ３３を読み込む必要がある。ＤＴはその記録位置をＩＰに対して記録するため、ＭＴＡやＳＴＡ内で交替処理を実施することが可能であるが、ＩＰの位置に関してはディスク内で常に固定である。
【００１３】
以上説明したようなＣＤ−ＭＲＷでは、欠陥管理情報をＭＤＴ（Ｍａｉｎ  Ｄｅｆｅｃｔ  Ｔａｂｌｅ）  ／ＳＤＴ（Ｓｅｃｏｎｄａｒｙ  Ｄｅｆｅｃｔ  Ｔａｂｌｅ）と呼ばれる形式で管理しており、これらの情報はさらにＭＩＰ（Ｍａｉｎ  Ｉｎｆｏｒｍａｔｉｏｎ  Ｐａｃｋｅｔ）  ／ＳＩＰ（Ｓｅｃｏｎｄａｒｙ  Ｉｎｆｏｒｍａｔｉｏｎ  Ｐａｃｋｅｔ）と呼ばれる管理情報によって管理されている。
【００１４】
また、欠陥管理情報を記録するＭＤＴ／ＳＤＴにおいても欠陥管理システムが適用されており、ＭＤＴ／ＳＤＴの記録位置に対して欠陥が生じていたような場合には、代替領域への交替・記録が行われるが、ＭＩＰ／ＳＩＰといった管理情報において欠陥が発生した場合のための代替記録領域は定義されていない。これは、ＭＤＴ／ＳＤＴ領域の記録位置がＭＩＰ／ＳＩＰ領域に記録されるのに対し、ＭＩＰ／ＳＩＰの記録位置はディスク固有の位置になるためである。
【００１５】
ＭＩＰの記録位置は、ＰＢＮ（Ｐｈｙｓｉｃａｌ  Ｂｌｏｃｋ  Ｎｕｍｂｅｒ：ディスク上の物理的な記録アドレス。最小再生単位がＢｌｏｃｋ）で規定されており、ＳＩＰの記録位置は、Ｌｅａｄ−Ｏｕｔの記録位置によって規定されており、Ｌｅａｄ−Ｏｕｔの記録位置はＴＯＣ（Ｔａｂｌｅ  Ｏｆ  Ｃｏｎｔｅｎｔｓ）  に記録されている。ＴＯＣの情報はＬｅａｄ−Ｉｎ  領域内に記録されており、これらのＳＩＰやＳＤＴの内容は、ＳＴＡ（Ｓｅｃｏｎｄａｒｙ  Ｔａｂｌｅ  Ａｒｅａ：図２−３２）と呼ばれる領域内で記録することが規定されている。ＳＴＡはＳＤＴの交替用領域を含んでおり、ＳＤＴはＳＴＡ領域内に記録される。また、Ｌｅａｄ−Ｉｎ  とＬｅａｄ−Ｏｕｔの領域に挟まれた領域がＰｒｏｇｒａｍ  Ａｒｅａと呼ばれる領域であり、ＣＤ−ＭＲＷではこの領域内にユーザデータ領域（Ｄａｔａ  Ａｒｅａ：以下、ＤＡ）  と、ユーザデータ領域（ＤＡ）の交替用領域（Ｓｐａｒｅ  Ａｒｅａ  ：以下、ＳＡ）  が、ＳＡ−  ＤＡの順に交互に配置される。
【００１６】
これらＭＩＰ／ＳＩＰやＭＤＴ／ＳＤＴの内容は、欠陥管理情報に関しては同じものである。これは、ＳＩＰ領域がＭＩＰの予備情報であるという位置付けと同時に、ＣＤ−ＭＲＷをサポートしていない、レガシーな（既存の）ＣＤドライブにおいての互換性を確保するためである。なぜなら、ＭＲＷ非対応ドライブにおいては、欠陥管理システムが適用されていることすらわからないため、特に欠陥が発生した結果交替されている情報を正しく読み出せない。また、ＭＴＡ（Ｍａｉｎ  Ｔａｂｌｅ  Ａｒｅａ  ：図２−３１）領域はＬｅａｄ−Ｉｎ  部に存在するが、一般のドライブにおいて当該領域を読み出す手段が提供されていない。
【００１７】
しかし、ＳＴＡ領域はＰｒｏｇｒａｍ  Ａｒｅａ内にあるため、一般のドライブで読み出すことは可能である。そこで、ＭＲＷ情報をコントロールするアプリケーションソフトウェアを用意し、このアプリケーションソフトウェアがＳＴＡ情報を読み出すことで、ＭＲＷ非対応ドライブにおいても、正しくデータを読み出すことが可能となり、互換性を確保することが可能となる。そのため、ＳＩＰ情報が欠陥によって読み出せないような場合に、互換性が確保できないという問題が生じる。
【００１８】
以上のように、従来における情報記録媒体に対する欠陥管理システムでは、ＤＴ相当の記録領域に対しては欠陥管理機能（交替機能）が提供されているが、ＳＩＰ相当の記録領域に対しては欠陥管理が提供されていない。
【００１９】
【特許文献１】
特開平９−０３５４１８号公報
【００２０】
【発明が解決しようとする課題】
本発明は、かかる問題点に鑑みてなされたものであり、情報記録媒体における特にＳＩＰ相当の記録領域に欠陥が存在するような場合にＳＩＰ相当領域の記録位置を変更することが可能となるような手段を提供し、ＳＩＰ相当の記録領域のデータ記録に関しても欠陥管理を実現できる情報記録方法、情報記録再生装置及び情報記録媒体を提供することを目的とする。
【００２１】
特に請求項１、９、１８記載の発明は、ＣＤ−ＭＲＷ対応の情報記録方法において、ＳＩＰ記録位置に欠陥が存在した場合に、ＳＴＡ領域の記録位置を変更するとともに、Ｌｅａｄ−Ｏｕｔ領域の記録開始位置を変更する情報記録方法を提供することを目的とする。
【００２２】
また、請求項１、９、１８記載の発明において、ＳＴＡ領域の記録位置を変更する場合、変更に伴いユーザデータ記録領域が減少する場合がある。そこで、請求項２、１０記載の発明は、これに対応することを目的とする。
【００２３】
また、請求項２、１０記載の発明において、ＳＴＡ領域の直前にＳＡが存在しないディスクの場合、ＳＩＰ記録位置に欠陥が存在しても回避できない。そこで、請求項３、１１記載の発明は、この問題に対応することを目的とする。
【００２４】
また、請求項３、１１に記載の発明において、ＳＴＡ領域の直前のＤＡが使用済みであった場合に、ＳＴＡ記録位置を変更すると、記録済みのデータを破壊してしまうことになるので、ＳＩＰ記録位置に欠陥が存在しても回避できない。そこで、請求項４、１２記載の発明は、この問題に対応することを目的とする。
【００２５】
また、請求項１から４、９から１２のいずれか１項に記載の発明において、ＳＴＡ領域の記録位置を変更することが可能でない場合、ＳＩＰ記録位置に欠陥が存在しても回避できない。そこで、請求項５、１３記載の発明は、この問題に対応することを目的とする。
【００２６】
請求項１から５、９から１３記載の発明においては、ＭＲＷで規定されている情報の一つであるＤｉｓｃ  Ｓｔａｔｕｓ  に関して言及されていない。ＣＤ−ＭＲＷでは、実際にＬｅａｄ−Ｏｕｔを記録する場合にＴｅｍｐｏｒａｒｙ  Ｌｅａｄ−Ｏｕｔという概念がある。通常、ＣＤ−ＭＲＷが適用できるようなＦｏｒｍａｔ処理を伴う記録方式の場合、Ｌｅａｄ−Ｏｕｔ領域はディスクの最後尾に記録される。これはユーザデータを記録する領域を可能な限り大きく確保するためであるが、ユーザデータを記録する時間は増大する（Ｐｒｏｇｒａｍ  Ａｒｅａ中に未記録領域が存在することは許されていないため、少なくとも何らかのダミーデータを記録する必要がある。このダミーデータ記録処理のことをＤｅ−Ｉｃｉｎｇと呼ぶ）。Ｔｅｍｐｏｒａｒｙ  Ｌｅａｄ−Ｏｕｔは、これに対応するものでユーザデータの記録が完了した箇所までをＰｒｏｇｒａｍ  Ａｒｅａとし、直後にＬｅａｄ−Ｏｕｔを記録するものである。この状態で、ＦｏｒｍａｔのＲｅｓｔａｒｔ  が可能になっており、Ｒｅｓｔａｒｔ  動作では、Ｔｅｍｐｏｒａｒｙ  Ｌｅａｄ−Ｏｕｔ位置から再度ユーザデータの記録（Ｄｅ−Ｉｃｉｎｇ処理でも可）を行う。
【００２７】
Ｄｉｓｃ  Ｓｔａｔｕｓ  の要素の一つにＦｏｒｍａｔｔｉｎｇ  Ｓｔａｔｕｓ  がある。これは、ディスク上のＬｅａｄ−Ｏｕｔが、前記Ｔｅｍｐｏｒａｒｙ  Ｌｅａｄ−Ｏｕｔであるかどうかが記録されており、Ｔｅｍｐｏｒａｒｙ  Ｌｅａｄ−Ｏｕｔの場合はＰａｒｔｉａｌｌｙ  Ｆｏｒｍａｔ、Ｆｏｒｍａｔ処理が完了している場合は、Ｆｕｌｌ  Ｆｏｒｍａｔ  となる。ここに設定された情報により、ＦｏｒｍａｔのＲｅｓｔａｒｔ  を行うかどうかを決定する。そのため、再生専用装置においては問題ない（ＦｏｒｍａｔのＲｅｓｔａｒｔ  処理は実施できないため）が、ＣＤ−  ＭＲＷに対応した記録可能な装置においては、Ｌｅａｄ−Ｏｕｔが請求項１から５、９から１３記載の発明の手法により変更する前の位置に記録されてしまう可能性があり、他方で、請求項１から５、９から１３記載の発明の機能を有さない場合にはそれらの発明の課題としてあげた問題が発生する恐れがある。
そこで、請求項６、１４、１９記載の発明は、かかる問題点を解決することを目的とする。
【００２８】
請求項６、１４、１９で示した発明がＴｅｍｐｏｒａｒｙ  Ｌｅａｄ−Ｏｕｔ記録時に適用された場合、Ｔｅｍｐｏｒａｒｙ  Ｌｅａｄ−Ｏｕｔは、あくまでも暫定的なＬｅａｄ−Ｏｕｔ領域であり、最終的に記録されるべきＬｅａｄ−Ｏｕｔ位置は異なることが想定される。例えば、Ｔｅｍｐｏｒａｒｙ  Ｌｅａｄ−Ｏｕｔをディスクの内周側に記録した場合に、請求項６、１４、１９に記載の発明を用いてＤｉｓｃ  Ｓｔａｔｕｓ  中のＦｏｒｍａｔｔｉｎｇ  Ｓｔａｔｕｓ  をＦｕｌｌ  Ｆｏｒｍａｔ  と変更すると、以降の領域がＣＤ−  ＭＲＷ記録可能な装置においても使用されず無駄になってしまう恐れがある。
そこで、請求項７、１５、２０記載の発明は、かかる問題点を解決することを目的とする。
【００２９】
請求項７、１５、２０記載の発明を適用した場合、請求項１から５、９から１３記載の発明の機能を有さない装置でＦｏｒｍａｔのＲｅｓｔａｒｔ  を実施してＬｅａｄ−Ｏｕｔを記録する場合に、請求項１から５、９から１３記載の発明の課題としてあげた問題が発生する可能性がある。
そこで、請求項８、１６、２１記載の発明は、かかる問題点を解決することを目的とする。
【００３０】
ＣＤ−ＭＲＷフォーマットに従ってＣＤ−ＲＷディスクに情報記録を行おうとした際に、ＳＩＰ記録位置に欠陥が存在した場合、ＳＩＰ情報を記録することができず、ＣＤ−ＭＲＷ非対応ドライブに対して互換性を保つことができない。請求項１７記載の発明は、これに対応して、ＣＤ−ＭＲＷ非対応ドライブに対して互換性を保つことのできる情報記録媒体を提供することを目的とする。
【００３１】
【課題を解決するための手段】
かかる目的を達成するために、請求項１記載の発明は、ＣＤ−ＭＲＷに対応した情報記録方法であって、ＳＩＰ記録位置に欠陥が存在する場合にＳＴＡ領域の記録位置を変更すると共にＬｅａｄ−Ｏｕｔ領域の記録開始位置を変更することを特徴としている。
【００３２】
請求項２記載の発明は、請求項１記載の発明において、ＳＴＡ領域の記録位置の変更は、ＳＴＡ記録位置変更に伴ってＳＴＡ領域へ変わる領域が未使用のＳＡ領域である場合に実行することを特徴としている。
【００３３】
請求項３記載の発明は、請求項２記載の発明において、記録位置変更前のＳＴＡ領域の直前領域がＳＡ領域でなくＤＡ領域である場合、ＤＡ領域が未使用であるなら、ＳＴＡ記録位置の変更を実行することを特徴としている。
【００３４】
請求項４記載の発明は、請求項３記載の発明において、記録位置変更前のＳＴＡ領域の直前領域がＤＡ領域でかつ使用済みであり、ＤＡ領域に対して交替処理を実施してＳＡ領域にデータ退避することで未使用状態とすることが可能な場合に、直前ＤＡ領域を交替させてＳＡ領域にデータ退避してから、ＳＴＡ記録位置の変更を実行することを特徴としている。
【００３５】
請求項５記載の発明は、請求項１から４のいずれか１項に記載の発明において、ＳＩＰ記録位置に欠陥が存在する場合、ＳＴＡ領域の直前領域が使用済みで未使用化不可の領域である場合は、ＳＴＡ領域の記録位置は変更せずに、ＳＩＰとＳＤＴの記録位置のみを変更し、それに伴いＬｅａｄ−Ｏｕｔ領域の記録開始位置を変更することを特徴としている。
【００３６】
請求項６記載の発明によれば、情報記録方法は、ＳＩＰ記録位置に欠陥が存在する場合に、Ｄｉｓｃ  Ｓｔａｔｕｓ  中のＦｏｒｍａｔｔｉｎｇ  Ｓｔａｔｕｓ  をＦｕｌｌ  Ｆｏｒｍａｔ  に設定する請求項１から５のいずれか１項に記載の情報記録方法であることを特徴とするものである。
【００３７】
請求項７記載の発明によれば、Ｆｕｌｌ  Ｆｏｒｍａｔ  の設定は、ＳＴＡ領域の記録位置の変更により記録されたＬｅａｄ−Ｏｕｔ領域以降の領域が所定値未満となる場合に行われる請求項６記載の情報記録方法であることを特徴とするものである。
【００３８】
請求項８記載の発明によれば、Ｆｕｌｌ  Ｆｏｒｍａｔ  の設定は、Ｆｕｌｌ  Ｆｏｒｍａｔ  状態でＳＩＰが記録される位置に欠陥が存在する場合には、Ｌｅａｄ−Ｏｕｔ領域以降が所定値以上であっても行われる請求項７記載の情報記録方法であることを特徴とするものである。
【００３９】
請求項９記載の発明は、ＣＤ−ＭＲＷに対応した情報記録方法で再記録可能な情報記録媒体に対する情報記録処理を行う情報記録再生装置であって、ＳＩＰ記録位置に欠陥が存在する場合にＳＴＡ領域の記録位置を変更すると共にＬｅａｄ−Ｏｕｔ領域の記録開始位置を変更することを特徴としている。
【００４０】
請求項１０記載の発明は、請求項９記載の発明において、ＳＴＡ領域の記録位置の変更は、ＳＴＡ記録位置変更に伴ってＳＴＡ領域へ変わる領域が未使用のＳＡ領域である場合に実行することを特徴としている。
【００４１】
請求項１１記載の発明は、請求項１０記載の発明において、記録位置変更前のＳＴＡ領域の直前領域がＳＡ領域でなくＤＡ領域である場合、ＤＡ領域が未使用であるなら、ＳＴＡ記録位置の変更を実行することを特徴としている。
【００４２】
請求項１２記載の発明は、請求項１１記載の発明において、記録位置変更前のＳＴＡ領域の直前領域がＤＡ領域でかつ使用済みであり、ＤＡ領域に対して交替処理を実施してＳＡ領域にデータ退避することで未使用状態とすることが可能な場合に、直前ＤＡ領域を交替させてＳＡ領域にデータ退避してから、ＳＴＡ記録位置の変更を実行することを特徴としている。
【００４３】
請求項１３記載の発明は、請求項９から１２のいずれか１項に記載の発明において、ＳＩＰ記録位置に欠陥が存在する場合、ＳＴＡ領域の直前領域が使用済みで未使用化不可の領域である場合は、ＳＴＡ領域の記録位置は変更せずに、ＳＩＰとＳＤＴの記録位置のみを変更し、それに伴いＬｅａｄ−Ｏｕｔ領域の記録開始位置を変更することを特徴としている。
【００４４】
請求項１４記載の発明によれば、情報記録再生装置は、ＳＩＰ記録位置に欠陥が存在する場合に、Ｄｉｓｃ  Ｓｔａｔｕｓ  中のＦｏｒｍａｔｔｉｎｇ  Ｓｔａｔｕｓ  をＦｕｌｌ  Ｆｏｒｍａｔ  に設定する請求項９から１３のいずれか１項に記載の情報記録再生装置であることを特徴とするものである。
【００４５】
請求項１５記載の発明によれば、情報記録再生装置は、Ｆｕｌｌ  Ｆｏｒｍａｔ  の設定は、ＳＴＡ領域の記録位置の変更により記録されたＬｅａｄ−Ｏｕｔ領域以降の領域が所定値未満となる場合に行われる請求項１４記載の情報記録再生装置であることを特徴とするものである。
【００４６】
請求項１６記載の発明によれば、情報記録再生装置は、Ｆｕｌｌ  Ｆｏｒｍａｔ  の設定は、Ｆｕｌｌ  Ｆｏｒｍａｔ  状態でＳＩＰが記録される位置に欠陥が存在する場合には、Ｌｅａｄ−Ｏｕｔ領域以降が所定値以上であっても行われる請求項１５記載の情報記録再生装置であることを特徴とするものである。
【００４７】
請求項１７記載の発明は、ＳＩＰ領域に欠陥が存在する場合に、該ＳＩＰの記録位置が変更され、該変更に伴ってＬｅａｄ−Ｏｕｔ領域の記録開始位置が変更されて記録されることを特徴としている。
【００４８】
請求項１８記載の発明によれば、情報記録媒体は、ＳＩＰの記録位置の変更は、ＳＴＡ領域の記録位置が変更されることにより行われる請求項１７記載の情報記録媒体であることを特徴とするものである。
【００４９】
請求項１９記載の発明によれば、情報記録媒体は、ＳＩＰ領域に欠陥が存在する場合に、Ｄｉｓｃ  Ｓｔａｔｕｓ  中のＦｏｒｍａｔｔｉｎｇ  Ｓｔａｔｕｓ  がＦｕｌｌ  Ｆｏｒｍａｔ  に設定される請求項１７または１８記載の情報記録媒体であることを特徴とするものである。
【００５０】
請求項２０記載の発明によれば、情報記録媒体は、Ｆｕｌｌ  Ｆｏｒｍａｔ  の設定は、ＳＴＡ領域の記録位置の変更により記録されたＬｅａｄ−Ｏｕｔ領域以降の領域が所定値未満となる場合に行われる請求項１９記載の情報記録媒体であることを特徴とするものである。
【００５１】
請求項２１記載の発明によれば、情報記録媒体は、Ｆｕｌｌ  Ｆｏｒｍａｔ  の設定は、Ｆｕｌｌ  Ｆｏｒｍａｔ  状態でＳＩＰが記録される位置に欠陥が存在する場合には、Ｌｅａｄ−Ｏｕｔ領域以降が所定値以上であっても行われる請求項２０記載の情報記録媒体であることを特徴とするものである。
【００５２】
【発明の実施の形態】
以下、本発明の実施の形態を添付図面を参照しながら詳細に説明する。構成要素には記号を付与して区別する。図１は、本発明の実施の形態における情報記録再生装置の構成を示す図である。本情報記録再生装置は、特に光ディスク装置（光ディスクドライブ）であり、情報記録媒体１は再記録可能な光ディスクである。本情報記録再生装置は、本発明の実施の形態における情報記録方法に従って欠陥管理機能を備えた情報記録再生処理を情報記録媒体１に対して行う。本発明の実施形態の情報記録媒体１は、本情報記録再生装置によりデータ記録されるとＳＩＰ領域に対しても欠陥管理が施されたものとなり、ＣＤ−ＭＲＷ非対応のドライブ装置に対しても互換性を持つ情報記録媒体となる。
【００５３】
図１に示す本実施形態の情報記録再生装置（光ディスク装置）は、情報記録媒体（光ディスク）１を支持及び回転させるモータ２、回転制御部３、ピックアップ４、アクチュエータ制御部５、信号制御部６、ドライブコントローラ７、バッファ８、レーザー駆動回路９、外部インタフェース１０、ホストコンピュータ１１、不揮発性メモリ１２等を有して構成されている。
【００５４】
モータ２は、光ディスク１を任意の回転速度で回転させる。回転制御部３は、モータ２の回転制御を行う。ピックアップ４は、光レーザーを光ディスク１に対して照射する。アクチュエータ制御部５は、ピックアップ４を半径方向に移動させたりする制御を行う。信号制御部６は、ピックアップ４からの信号を制御する。ドライブコントローラ７は、本情報記録再生装置全体の制御を行う。バッファ８は、ドライブコントローラ７がデータ格納等の一時記憶領域として使用する。レーザー駆動回路９は、ピックアップ４のレーザーを駆動する。外部インタフェース１０は、ホストコンピュータ１１等との間でデータ等の送受信を行うインタフェース部分である。不揮発性メモリ１２は、ディスクＩＤ、記憶パワー値等の情報記録再生装置固有の情報を記録しておくための記憶領域である。不揮発性メモリ１２には、ドライブコントローラ７を動かすための制御プログラム等も記憶されている。
【００５５】
本発明は、ＣＤ−ＭＲＷのように、再記録可能な情報記録媒体に対する欠陥管理システムを備え、欠陥管理情報が情報記録媒体における所定位置に記録され、この欠陥管理情報自体に対する欠陥管理を可能にするための情報記録方法、この情報記録方法での情報記録処理及び対応する情報再生処理を行う情報記録再生装置（ドライブ装置）、及び、上記方法で情報記録された情報記録媒体（ディスク）に関するものである。また、欠陥管理システムの機能を有するデータ処理ＬＳＩに対しても適用可能である。
【００５６】
情報記録媒体１に対するデータ記録のフォーマットは図２に示した。本実施形態の情報記録再生装置は、このフォーマットに従って光ディスク１に対するデータ記録処理を行う。本発明の場合、特に、ＳＴＡ領域３２におけるＩＰ領域３３（ＳＩＰ）について欠陥管理を実現する。そのために、ＩＰ領域３３に欠陥が有ることが検出された場合は、ＳＴＡ領域３２の記録位置を変更（シフト）する。またそれに伴い、Ｌｅａｄ−Ｏｕｔ  Ａｒｅａ  領域２２の記録位置を変更（シフト）する。
【００５７】
図１に示すような構成の情報記録再生装置において、本実施形態の情報記録再生方法で欠陥管理機能を備えた情報記録／再生処理が行われる。以下、制御の異なる複数の実施形態の情報記録方法について説明する。
【００５８】
まず、本発明の第１の実施形態の情報記録方法の動作について図４の動作フローをもとに説明する。情報記録媒体（光ディスク）１のＳＩＰ（ＳＴＡにおけるＩＰ）領域に対するＳＩＰデータの記録処理（以下、ＳＩＰ記録処理）において、データ記録フォーマットに基づく所定位置にＳＩＰデータを記録する。ＳＩＰ領域へのＳＩＰデータの記録処理に関し、記録が正常に行われたか、つまりＳＩＰ記録領域に欠陥が無いかを判断する。ここでＳＩＰデータを記録しようとする位置あるいは記録した位置に欠陥が有ることを検出した場合（ステップＳ４１−ＮＯ）、ＳＩＰ領域の記録位置を変更するべくＳＴＡ領域の記録位置を変更する（ステップＳ４２）。次に、それに伴いＬｅａｄ−Ｏｕｔ記録位置を変更し（ステップＳ４３）、ＳＩＰ記録処理を終了する。
【００５９】
図５は、上記第１の実施形態の情報記録方法でのディスク１への情報記録処理の様子について示す図である。上側のレコードに示すように、Ｐｒｏｇｒａｍ  Ａｒｅａ領域２１内のＳＴＡ領域３２の最後（Ｌｅａｄ−Ｏｕｔ  Ａｒｅａ  領域２２の手前）にＩＰ（ＳＩＰ）領域３３があるが、ここに欠陥を検出した場合に、下側のレコードに示すように、ＩＰ領域３３を含むＳＴＡ領域３２の記録位置を前に（Ｐｒｏｇｒａｍ  Ａｒｅａ２１方向へ）シフトする。これにより、Ｐｒｏｇｒａｍ  Ａｒｅａ２１におけるＳＴＡ領域３２の前の最後部はＳＴＡ領域として上書きされる。また、ＳＴＡ領域３２の記録位置変更に伴い、Ｌｅａｄ−Ｏｕｔ  Ａｒｅａ  ２２の記録位置も前方向にシフトする。これにより欠陥領域はＬｅａｄ−Ｏｕｔ  Ａｒｅａ  内に来ることとなる。ＳＴＡ領域３２の記録位置変更の結果、ＳＩＰ領域３３に正常にＳＩＰデータが記録され、ＤＴ領域の管理を行っているＳＩＰデータ自体に対する欠陥管理が実現されたこととなる。
【００６０】
次に、本発明の第２の実施形態の情報記録方法の動作について図６の動作フローをもとに説明する。まず、ＳＩＰ記録処理において、フォーマットに基づくＳＩＰ領域にＳＩＰデータを記録する処理を行う。ここでＳＩＰデータを記録する位置／記録した位置に欠陥が有る場合は（ステップＳ６１−ＮＯ）、ＳＴＡ領域の直前が未使用（ユーザデータが記録されていない）のＳＡ領域であるかどうかを確認する（ステップＳ６２）。未使用のＳＡ領域であった場合（ステップＳ６２−ＹＥＳ）、ＳＴＡ領域の記録位置を変更（シフト）する（ステップＳ６３）。次に、それに伴いＬｅａｄ−Ｏｕｔ記録位置を変更（シフト）し（ステップＳ６４）、ＳＩＰ記録処理を終了する。
【００６１】
図７は、上記第２の実施形態の情報記録方法でのディスク１への情報記録処理の様子について示す図である。上側のレコードに示すように、Ｐｒｏｇｒａｍ  Ａｒｅａ領域２１内のＳＴＡ領域３２の手前が未使用のＳＡ領域２３となっている場合であり、下側のレコードに示すように、ＩＰ領域３３を含むＳＴＡ領域３２の記録位置を前に（Ｐｒｏｇｒａｍ  Ａｒｅａ２１方向へ）シフトする。これにより、Ｐｒｏｇｒａｍ  Ａｒｅａ２１内のＳＴＡ領域の手前の未使用ＳＡ領域がＳＴＡ領域として上書きされる。また、ＳＴＡ領域３２の記録位置変更に伴い、Ｌｅａｄ−Ｏｕｔ  Ａｒｅａ  ２２の記録位置も前方向にシフトする。これにより欠陥領域はＬｅａｄ−Ｏｕｔ  Ａｒｅａ  内に来ることとなる。ＳＴＡ領域３２の記録位置変更の結果、ＳＩＰ領域３３に正常にＳＩＰデータが記録され、ＤＴ領域の管理を行っているＳＩＰデータ自体に対する欠陥管理が実現されたこととなる。
【００６２】
次に、本発明の第３の実施形態の情報記録方法では、第２の実施形態の情報記録方法での動作と同様、ＳＩＰ領域に欠陥が有ることを検出した場合、ＳＴＡ領域の手間にある領域を判断する。ＳＴＡ領域の直前領域がＳＡ領域でなくＤＡ領域である場合に、この領域が未使用（ユーザデータの記録がされていない）であるならＳＴＡ記録位置の変更を実行する。制御としては、第２の実施形態の動作フローにおけるステップＳ６２の処理部分の内容が、直前領域が未使用のＳＡ領域であるかの確認処理から、未使用領域であるかどうかの確認に変わるだけで、それ以外は同じである。
【００６３】
次に、第４の実施形態の情報記録方法の動作について図８の動作フローをもとに説明する。まず、ＳＩＰ記録処理において、フォーマットに基づくＳＩＰ領域へＳＩＰデータを記録する。ここでＳＩＰを記録する位置／記録した位置に欠陥が有る場合（ステップＳ８１−ＮＯ）、ＳＴＡ領域の直前領域が使用済み（ユーザデータ記録済み）のＤＡ領域であるかどうかを確認する（ステップＳ８２）。ここで、使用済みのＤＡ領域であった場合（ステップＳ８２−ＹＥＳ）、当該ＤＡ領域が交替処理によってＳＡ領域にデータ退避可能かどうかを確認する（ステップＳ８３）。退避可能である場合（ステップＳ８３−ＹＥＳ）、交替処理を実施しＤＡ領域に記録されているデータをＳＡ領域に退避する（ステップＳ８４）。そして、ＳＴＡ領域の記録位置を変更（シフト）し（ステップＳ８５）、またＬｅａｄ−Ｏｕｔ記録位置を変更（シフト）し（ステップＳ８６）、ＳＩＰ記録処理を終了する。
【００６４】
図９は、上記第４の実施形態の情報記録方法でのディスク１への情報記録処理の様子について示す図である。上側のレコードに示すように、Ｐｒｏｇｒａｍ  Ａｒｅａ領域２１内のＳＴＡ領域３２の手前が使用済みのＤＡ領域２４となっている場合であり、中間のレコードに示すように、使用済みのＤＡ領域２４について交替処理を実行してＳＡ領域にデータ退避してから、下側のレコードに示すように、ＩＰ領域３３を含むＳＴＡ領域３２の記録位置を前に（Ｐｒｏｇｒａｍ  Ａｒｅａ２１方向へ）シフトする。また、ＳＴＡ領域３２の記録位置変更に伴い、Ｌｅａｄ−Ｏｕｔ  Ａｒｅａ  ２２の記録位置も前方向にシフトする。これにより欠陥領域はＬｅａｄ−Ｏｕｔ  Ａｒｅａ  内に来ることとなる。ＳＴＡ領域３２の記録位置変更の結果、ＳＩＰ領域３３に正常にＳＩＰデータが記録され、ＤＴ領域の管理を行っているＳＩＰデータ自体に対する欠陥管理が実現されたこととなる。
【００６５】
次に、本発明の第５の実施形態の情報記録方法の動作について図１０の動作フローをもとに説明する。まず、ＳＩＰ記録処理において、フォーマットに基づくＳＩＰ領域へＳＩＰデータを記録する。ここでＳＩＰデータを記録する位置／記録した位置に欠陥が有る場合（ステップＳ１０１−ＮＯ）、ＳＴＡ領域の記録位置が変更できるかどうかを確認する（ステップＳ１０２）  。ここで、ＳＴＡ領域の記録位置が変更不可能であった場合（ステップＳ１０２−ＹＥＳ）、ＳＴＡ領域の記録位置は変更せずＳＩＰの記録位置を変更（シフト）し、またそれに伴いＳＴＡ領域内のＳＤＴの記録位置を変更し（ステップＳ１０３）  、ＳＩＰ記録処理を終了する。
【００６６】
図１１は、上記第５の実施形態の情報記録方法でのディスク１への情報記録処理の様子について示す図である。上側のレコードに示すように、Ｐｒｏｇｒａｍ  Ａｒｅａ領域２１内のＳＴＡ領域３２の手前が、使用済みＤＡ領域２４でかつ交替処理による未使用化が不可能となっている場合であり、下側のレコードに示すように、ＳＴＡ領域３２の記録位置は変更せず、ＳＴＡ領域３２内でＳＩＰ領域３３記録位置を前に（Ｐｒｏｇｒａｍ  Ａｒｅａ２１方向へ）シフトする。また、ＳＩＰ領域３３の記録位置変更に伴い、ＳＴＡ領域内のＤＴの記録位置も変更する。ＳＩＰ領域３３の記録位置変更の結果、変更後のＳＩＰ領域３３に正常にＳＩＰデータが記録され、ＤＴ領域の管理を行っているＳＩＰデータ自体に対する欠陥管理が実現されたこととなる。
【００６７】
以上、これらのＳＩＰ記録処理及び交替処理は、不揮発性メモリ１２に格納されたプログラムを実行することにより実現することも可能であるし、ドライブコントローラ７といったＬＳＩ内のマイクロコードにて実行することにより実現することも可能である。
【００６８】
以上の各実施形態の情報記録方法（望ましくは第５の実施形態までの全ての情報記録方法での制御を実行）を用いて情報記録再生装置により情報記録媒体に対してデータ記録が実行される。こうしてデータ記録された情報記録媒体は、ＳＩＰ領域に正常にＳＩＰデータが記録されたものとなり、ＣＤ−ＭＲＷ非対応のドライブ装置に対しも互換性を持つ。
【００６９】
なお、情報記録媒体の記録領域における欠陥部分の検出の方式には様々な方式が存在する。データ記録処理の前において対象位置（アドレス）に正常にたどり着けるかどうかで欠陥を検出する方式、データ記録処理後において対象位置の読み出し確認を行う方式等がある。いずれの欠陥検出方式の場合においても本発明の欠陥管理機能を備えた情報記録方法を適用できる。
【００７０】
次に、本発明の第６の実施形態の動作について図１２の動作フローを例にして説明する。
【００７１】
まず、ＳＩＰを記録する処理において、ＳＩＰを記録する。ここでＳＩＰを記録した位置に欠陥があると（ステップＳ１２１でＹｅｓ）、ＳＴＡ領域の記録位置を変更する（ステップＳ１２２）  。この時、ＳＴＡ領域の記録位置の変更方法は、例えば、第１〜第５の実施形態の方法が使用可能である。また、ＳＴＡ領域を記録する際に、Ｄｉｓｃ  Ｓｔａｔｕｓ  中のＦｏｒｍａｔｔｉｎｇ  Ｓｔａｔｕｓ  にＦｕｌｌ  Ｆｏｒｍａｔ  を設定する（ステップＳ１２３）  。次に、Ｌｅａｄ−Ｏｕｔ記録位置を変更し（ステップＳ１２４）  、ＳＩＰ記録処理を終了する。
【００７２】
これにより、図１３における、上側のレコードが下側のレコードへと変更される。すなわち、ＳＴＡ領域３２の最後（Ｌｅａｄ−Ｏｕｔ  Ａｒｅａ  領域２２の手前）にＩＰ（ＳＩＰ）領域３３があり、ここに欠陥を検出した場合に、ＳＴＡ領域３２の記録位置をＰｒｏｇｒａｍ  Ａｒｅａ２１方向へシフトすることにより、Ｐｒｏｇｒａｍ  Ａｒｅａ２１におけるＳＴＡ領域３２の手前の最後部はＳＴＡ領域として上書きされる。このようなＳＴＡ領域３２の記録位置変更に伴い、Ｌｅａｄ−Ｏｕｔ  Ａｒｅａ  ２２の記録位置もＰｒｏｇｒａｍ  Ａｒｅａ２１方向へシフトする。これにより欠陥領域はＬｅａｄ−Ｏｕｔ  Ａｒｅａ  内に来る。
【００７３】
こうして、欠陥領域を避けてＳＩＰデータを記録することが可能となり、ＳＩＰ領域３３に正常にＳＩＰデータが記録され、ＤＴ領域の管理を行っているＳＩＰデータ自体に対する欠陥管理が可能となる。
また、Ｌｅａｄ−Ｏｕｔ領域２２の記録位置を変更することと、ＳＩＰの読み取りが可能となるため、ＣＤ−ＭＲＷ非対応ドライブに対して互換性を保つことが可能となる。さらに、ステップＳ１２３において、Ｄｉｓｃ  Ｓｔａｔｕｓ  中のＦｏｒｍａｔｔｉｎｇ  Ｓｔａｔｕｓ  をＦｕｌｌ  Ｆｏｒｍａｔ  とすることで、変更したＬｅａｄ−Ｏｕｔ領域２２およびＳＴＡ領域３２の情報が保護されることになり、より安全性が増す。
【００７４】
次に、第７の実施形態の動作について図１４の動作フローを例にして説明する。
【００７５】
まず、ＳＩＰを記録する処理において、ＳＩＰを記録する。ここでＳＩＰを記録した位置に欠陥があると（ステップＳ１４１でＹｅｓ）、ＳＴＡ領域の記録位置を変更する（ステップＳ１４２）。次に、Ｌｅａｄ−Ｏｕｔ以降の領域が所定値以下であるかを確認し（ステップＳ１４３）、所定値以下である場合には（Ｙｅｓ）、Ｄｉｓｃ  Ｓｔａｔｕｓ  中のＦｏｒｍａｔｔｉｎｇ  Ｓｔａｔｕｓ  にＦｕｌｌ  Ｆｏｒｍａｔ  を設定する（ステップＳ１４４）。そして、Ｌｅａｄ−Ｏｕｔ記録位置を変更し（ステップＳ１４５）、ＳＩＰ記録処理を終了する。
なお、ここでの所定値は、固定値として装置内部で保持していてもよいし、ディスクの総容量に対する割合で判定してもよい。もちろん、外部インタフェース等を通じて使用者が指定する形でもよい。
【００７６】
こうして、Ｌｅａｄ−Ｏｕｔ領域以降の領域が所定数以上の場合には、Ｆｕｌｌ  Ｆｏｒｍａｔ  と扱わないので、ＣＤ−ＭＲＷ記録可能な装置を使用することにより、Ｌｅａｄ−Ｏｕｔ領域を変更することが可能となるので、ディスク上の記録可能領域を無駄にしてしまうことを避けることが可能となる（図１５参照）。
【００７７】
次に、第８の実施形態の動作について図１６の動作フローを例にして説明する。
【００７８】
まず、ＳＩＰを記録する処理において、ＳＩＰを記録する。ここでＳＩＰを記録した位置に欠陥があると（ステップＳ１６１でＹｅｓ）、ＳＴＡ領域の記録位置を変更する（ステップＳ１６２）。次に、Ｌｅａｄ−Ｏｕｔ以降の領域が所定値以下であるかを確認し（ステップＳ１６３）、所定値以下でない場合には（Ｎｏ）、Ｆｕｌｌ  Ｆｏｒｍａｔ  状態でＳＩＰを記録する場合に欠陥となるかを確認する（ステップＳ１６４）  。もし、欠陥となってしまうようであれば（Ｙｅｓ）、Ｄｉｓｃ  Ｓｔａｔｕｓ  中のＦｏｒｍａｔｔｉｎｇ  Ｓｔａｔｕｓ  にＦｕｌｌ  Ｆｏｒｍａｔ  を設定する（ステップＳ１６５）  。そして、Ｌｅａｄ−Ｏｕｔ記録位置を変更し（ステップＳ１６６）  、ＳＩＰ記録処理を終了する。
なお、ここでの所定値は、固定値として装置内部で保持していてもよいし、ディスクの総容量に対する割合で判定してもよい。もちろん、外部インタフェース等を通じて使用者が指定する形でもよい。
【００７９】
こうして、Ｆｕｌｌ  Ｆｏｒｍａｔ  時のＬｅａｄ−Ｏｕｔ記録位置における、ＳＩＰの記録位置に欠陥が存在しない場合に限りＲｅｓｔａｒｔ  が可能となるので、少なくともＦｕｌｌ  Ｆｏｒｍａｔ  時に、情報記録媒体における特にＳＩＰ相当の記録領域に欠陥が存在するような場合にＳＩＰ相当領域の記録位置を変更することが可能となるような手段を提供し、ＳＩＰ相当の記録領域のデータ記録に関しても欠陥管理を実現するといった第１から第５の実施形態における課題を解決することができる（図１７参照）。
【００８０】
なお、これらのＳＩＰ記録における交替処理は、不揮発性メモリ（  図１の１２）  に格納されたプログラムを実行することで、実現することも可能であるし、ドライブコントローラ（  図１の７）  といったＬＳＩ内のマイクロコードにて実行することにより、実現することも可能である。
【００８１】
以上により本発明の実施の形態について説明した。なお、上述した実施形態は、本発明の好適な実施形態の一例を示すものであり、本発明はそれに限定されるものではなく、その要旨を逸脱しない範囲内において、種々変形実施が可能である。
【００８２】
【発明の効果】
以上の説明から明らかなように、本発明によれば、情報記録媒体に対してＳＩＰ相当領域に対しても欠陥管理を実現することができる。特に請求項１、９記載の発明では、ＳＩＰ記録位置に欠陥が存在した場合に、欠陥領域を避けてＳＩＰデータを記録することが可能となるので、ＳＩＰに対しても欠陥管理を行うことが可能となる。また、Ｌｅａｄ−Ｏｕｔ領域の記録位置を変更することと、ＳＩＰの読み取りが可能となるため、ＣＤ−ＭＲＷ非対応ドライブに対して互換性を保つことが可能となる。
【００８３】
また、請求項２、１０記載の発明では、ＳＩＰ記録位置に欠陥が存在した際、ＳＴＡ領域の記録位置を変更する場合に、未使用のＳＡ領域に対してＳＴＡ領域を変更することが可能となるので、ユーザデータの記録可能容量が減少することなく、ＳＩＰに対して欠陥管理を行うことが可能となる。
【００８４】
また、請求項３、１１記載の発明では、ＳＩＰ記録位置に欠陥が存在した際、未使用のＤＡ領域に対してもＳＴＡ領域を変更することが可能となるので、ＳＩＰに対して欠陥管理を行うことが可能となる。
【００８５】
また、請求項４、１２記載の発明では、ＳＩＰ記録位置に欠陥が存在した際、ＳＴＡ領域を変更することが可能となるので、ＳＩＰに対して欠陥管理を行うことが可能となる。
【００８６】
また、請求項１から４、９から１２に記載の情報記録方法においてＳＴＡ領域の記録位置を変更することが可能でない場合は、ＳＩＰ記録位置に欠陥が存在しても回避できないが、請求項５記載の発明では、ＳＴＡ領域の記録位置を変更することなくＳＩＰに対して欠陥管理を行うことが可能となる。このとき、ＳＴＡ領域が減少してしまうため、ＳＤＴ領域の交替に制限は生じるが、ＤＡ領域の最後のアドレスがＳＩＰに記録されているので、互換性を確保することは可能である。
【００８７】
なお、請求項９から１３に記載の発明では、それぞれ対応する請求項１から５に記載の発明の効果を得られる。
【００８８】
請求項６、１４、１９記載の発明によれば、ＳＩＰ記録位置に欠陥が存在した場合に、欠陥領域を避けてＳＩＰを記録することが可能となるので、ＳＩＰに対しても欠陥管理を行うことが可能となる。また、Ｌｅａｄ−Ｏｕｔ領域の記録位置を変更することと、ＳＩＰの読み取りが可能となるため、ＣＤ−  ＭＲＷ非対応ドライブに対して互換性を保つことが可能となる。さらに、Ｄｉｓｃ  Ｓｔａｔｕｓ  中のＦｏｒｍａｔｔｉｎｇＳｔａｔｕｓ  をＦｕｌｌ  Ｆｏｒｍａｔ  とすることで変更したＬｅａｄ−ＯｕｔおよびＳＴＡ  領域の情報が保護されることになり、より安全性が増す。
【００８９】
請求項７、１５、２０記載の発明によれば、Ｌｅａｄ−Ｏｕｔ領域以降の領域が所定数以上の場合には、Ｆｕｌｌ  Ｆｏｒｍａｔ  と扱わないので、ＣＤ−  ＭＲＷ記録可能な装置を使用することにより、Ｌｅａｄ−Ｏｕｔ領域を変更することが可能となるので、ディスク上の記録可能領域を無駄にしてしまうことを避けることが可能となる。
【００９０】
請求項８、１６、２１記載の発明によれば、Ｆｕｌｌ  Ｆｏｒｍａｔ  時のＬｅａｄ−Ｏｕｔ記録位置における、ＳＩＰの記録位置に欠陥が存在しない場合に限りＲｅｓｔａｒｔ  が可能となるので、少なくともＦｕｌｌ  Ｆｏｒｍａｔ  時に、情報記録媒体における特にＳＩＰ相当の記録領域に欠陥が存在するような場合にＳＩＰ相当領域の記録位置を変更することが可能となるような手段を提供し、ＳＩＰ相当の記録領域のデータ記録に関しても欠陥管理を実現するといった請求項１から５、９から１３の発明の課題が発生することを防ぐことができる。
【００９１】
また、請求項１７記載の発明では、ＳＩＰ記録位置に欠陥が存在する場合でもＳＩＰ情報を記録することが可能となり、ＣＤ−ＭＲＷ非対応ドライブに対して互換性を持たせることが可能となる。
【図面の簡単な説明】
【図１】本発明の実施の形態における情報記録再生装置の構成を示す図である。
【図２】欠陥管理機能に対応したＣＤ−ＭＲＷにおける情報記録媒体への情報記録フォーマットを示す図である。
【図３】データエリア（ＤＡ）に欠陥セクタが有る場合の交替処理とその再生処理について説明するための図である。
【図４】本発明の第１の実施形態の情報記録方法の処理手順を示すフローチャートである。
【図５】本発明の第１の実施形態の情報記録方法の処理におけるデータ記録の様子を示す図である。
【図６】本発明の第２の実施形態の情報記録方法の処理手順を示すフローチャートである。
【図７】本発明の第２の実施形態の情報記録方法の処理におけるデータ記録の様子を示す図である。
【図８】本発明の第４の実施形態の情報記録方法の処理手順を示すフローチャートである。
【図９】本発明の第４の実施形態の情報記録方法の処理におけるデータ記録の様子を示す図である。
【図１０】本発明の第５の実施形態の情報記録方法の処理手順を示すフローチャートである。
【図１１】本発明の第５の実施形態の情報記録方法の処理におけるデータ記録の様子を示す図である。
【図１２】本発明の第６の実施形態の情報記録方法の処理手順を示すフローチャートである。
【図１３】本発明の第６の実施形態の情報記録方法の処理におけるデータ記録の様子を示す図である。
【図１４】本発明の第７の実施形態の情報記録方法の処理手順を示すフローチャートである。
【図１５】本発明の第７の実施形態の情報記録方法の処理におけるデータ記録の様子を示す図である。
【図１６】本発明の第８の実施形態の情報記録方法の処理手順を示すフローチャートである。
【図１７】本発明の第８の実施形態の情報記録方法の処理におけるデータ記録の様子を示す図である。
【符号の説明】
１  光ディスク（情報記録媒体）
２  モータ
３  回転制御部
４  ピックアップ
５  アクチュエータ制御部
６  信号制御部
７  ドライブコントローラ
８  バッファ
９  レーザー駆動回路
１０  外部インタフェース
１１  ホストコンピュータ
１２  不揮発性メモリ
２０  Ｌｅａｄ−Ｉｎ  Ａｒｅａ
２１  Ｐｒｏｇｒａｍ  Ａｒｅａ
２２  Ｌｅａｄ−Ｏｕｔ  Ａｒｅａ
２３  Ｓｐａｒｅ  Ａｒｅａ（ＳＡ）
２４  Ｄａｔａ  Ａｒｅａ  （ＤＡ）
２５  Ｐａｃｋｅｔ（Ｐ）
２６  Ｌｉｎｋ  Ｂｌｏｃｋ
２７  Ｒｕｎ−Ｉｎ  Ｂｌｏｃｋ（  ４Ｂｌｏｃｋ）
２８  Ｕｓｅｒ  Ｄａｔａ  Ｂｌｏｃｋ
２９  Ｒｕｎ−Ｏｕｔ  Ｂｌｏｃｋ（２Ｂｌｏｃｋ）
３０  Ｂｌｏｃｋ
３１  ＭＴＡ
３２  ＳＴＡ
３３  ＩＰ（ＭＩＰ／ＳＩＰ）
３４  ＤＴ（ＭＤＴ／ＳＤＴ）
【図１】
2004158165.tif 000003
【図２】
2004158165.tif 000004
【図３】
2004158165.tif 000005
【図４】
2004158165.tif 000006
【図５】
2004158165.tif 000007
【図６】
2004158165.tif 000008
【図７】
2004158165.tif 000009
【図８】
2004158165.tif 000010
【図９】
2004158165.tif 000011
【図１０】
2004158165.tif 000012
【図１１】
2004158165.tif 000013
【図１２】
2004158165.tif 000014
【図１３】
2004158165.tif 000015
【図１４】
2004158165.tif 000016
【図１５】
2004158165.tif 000017
【図１６】
2004158165.tif 000018
【図１７】
2004158165.tif 000019